(57)【要約】【課題】  吐出口を通過する空気の流動抵抗を減らすことのできる天井型空気調和機を提供する。【解決手段】  熱交換器と送風装置が組み込まれた本体と、本体の下面を覆い、吸入口と吐出口が形成された天井パネルと、送風装置から送り出される空気を吐出口に案内するように吐出口側に設けられる空気案内部とを含む。【選択図】      図４
2006029762.tif 000002
【特許請求の範囲】
【請求項１】
熱交換器と送風装置が組み込まれた本体と、
該本体の下面を覆い、吸入口と吐出口が形成された天井パネルと、
前記送風装置から送り出される空気を前記吐出口に案内するように、前記吐出口側に設けられた空気案内部とを含む天井型空気調和機。
【請求項２】
前記空気案内部は、前記吐出口の入口から空気の流動方向と対向する方向に突出することを特徴とする請求項１に記載の天井型空気調和機。
【請求項３】
前記吐出口の内側に設置される補助ヒーターと、
該補助ヒーターを支持するように前記吐出口に設置されるヒーター支持部材とをさらに含み、
前記空気案内部が前記ヒーター支持部材と一体に設けられることを特徴とする請求項２に記載の天井型空気調和機。
【請求項４】
前記空気案内部は、流線型の曲面からなる先端部を含むことを特徴とする請求項１ないし３のいずれか一項に記載の天井型空気調和機。
【請求項５】
前記補助ヒーターは、前記吐出口の長手方向に連続して配列される第１のヒーターと第２のヒーターとを含み、
前記ヒーター支持部材は、前記第１のヒーターの一端を支持するように前記吐出口の一側に設置される第１のヒーター支持部材と、前記第２のヒーターの一端を支持するように前記吐出口の他側に設置される第２のヒーター支持部材と、前記第１のヒーター及び前記第２のヒーターの他端を共に支持するように前記吐出口の中央部に設置される第３のヒーター支持部材とを含み、
前記空気案内部が前記第３のヒーター支持部材と一体に設けられることを特徴とする請求項４に記載の天井型空気調和機。
【請求項６】
前記吸入口が前記天井パネルの中央部分に形成され、前記吐出口が前記天井パネルの前記吸入口の周りに形成され、
前記送風装置は、前記本体の内側中央に配置される遠心型ターボファンを含み、
前記熱交換器は、前記ターボファンから前記吐出口側に送り出される空気が通過するように前記ターボファンの周りに配置されることを特徴とする請求項４に記載の天井型空気調和機。
【発明の詳細な説明】
【技術分野】
【０００１】
本発明は、天井型空気調和機に関し、より詳細には、吐出口を通過する空気の流動抵抗を低減することができる天井型空気調和機に関する。
【背景技術】
【０００２】
一般の天井型空気調和機の例が特許文献１に開示されており、この天井型空気調和機は、熱交換器と送風装置が組み込まれた状態で天井の内部空間に埋め立てられる本体と、本体の下面及び天井の開口部を覆うように設置される天井パネルとを備える。また、この天井型空気調和機は、室内空気の吸入及び吐出のために天井パネルの中央部に形成される吸入口と、天井パネルの吸入口の周りに形成される多数の吐出口とを備える。
【０００３】
また、本体内部の送風装置は、通常、天井パネルの中央の吸入口から空気を吸い込んでその円周方向に送り出す遠心型ターボファンと、このターボファンを駆動する駆動モーターとを含む。そして、熱交換器は、ターボファンから送り出される空気が通過しつつ熱交換されるようにターボファンの周りに配置される。
【０００４】
また、かかる従来の天井型空気調和機の中には、冬期暖房運転を遂行するに際して熱交換器による空気の加熱が充分でない場合に、吐出空気をさらに加熱するために吐出口側に補助ヒーターを設置したものもある。これは、熱交換器を通過した空気が吐出口を通過しつつ補助ヒーターにより再び加熱されるようにすることによって、熱交換器による空気の加熱が充分でない場合にも室内が円滑に暖房されるようにしたものである。ここで、補助ヒーターは、通常、吐出口側に設置されるヒーター支持部材により支持される。
【０００５】
ところが、かかる天井型空気調和機は、吐出口側に装着される補助ヒーターとヒーター支持部材などのために吐出口を通過する空気の流動が円滑でない、という問題があった。しかも、このような天井型空気調和機は、ターボファンから送り出される空気がターボファンの回転方向に旋回しながら熱交換器を通過した後に下部の吐出口側に流動するので、空気の流動方向と吐出口の方向が一致しなく流動抵抗が相対的に大きのに加え、その吐出口にヒーター支持部材などがさらに設置されるので、流動抵抗は一層大きくなり、吐出口への送風が円滑でない、という問題があった。
【０００６】
また、この空気調和機が夏期に冷房運転を遂行する場合には、吐出される冷気とヒーター支持部材との干渉が大きくなってヒーター支持部材の表面温度が低くなるため、ヒーター支持部材で結露現象が起こる、という問題もあった。
【特許文献１】大韓民国公開特許公報特２００３−００５９８８９号
【発明の開示】
【発明が解決しようとする課題】
【０００７】
本発明は、上記事情に鑑みて、熱交換器を通過した空気が吐出口側に円滑に案内されるようにすることによって、吐出空気の流動抵抗を低減することのできる天井型空気調和機を提供することを目的とする。
【課題を解決するための手段】
【０００８】
上記の目的を達成すべく、本発明による天井型空気調和機は、熱交換器と送風装置が組み込まれた本体と、該本体の下面を覆い、吸入口と吐出口が形成された天井パネルと、前記送風装置から送り出される空気を前記吐出口に案内するように、前記吐出口側に設けられた空気案内部とを含むことを特徴とする。
【０００９】
前記空気案内部は、前記吐出口の入口から空気の流動方向と対向する方向に突出することを特徴とする。
【００１０】
また、本発明は、前記吐出口の内側に設置される補助ヒーターと、該補助ヒーターを支持するように前記吐出口に設置されるヒーター支持部材とをさらに含み、前記空気案内部が前記ヒーター支持部材と一体に設けられることを特徴とする。
【００１１】
また、前記空気案内部は、流線型の曲面からなる先端部を含むことを特徴とする。
【００１２】
また、前記補助ヒーターは、前記吐出口の長手方向に連続して配列される第１のヒーターと第２のヒーターとを含み、前記ヒーター支持部材は、前記第１のヒーターの一端を支持するように前記吐出口の一側に設置される第１のヒーター支持部材と、前記第２のヒーターの一端を支持するように前記吐出口の他側に設置される第２のヒーター支持部材と、前記第１のヒーター及び前記第２のヒーターの他端を共に支持するように前記吐出口の中央部に設置される第３のヒーター支持部材とを含み、前記空気案内部が前記第３のヒーター支持部材と一体に設けられることを特徴とする。
【００１３】
また、本発明は、前記吸入口が前記天井パネルの中央部分に形成され、前記吐出口が前記天井パネルの前記吸入口の周りに形成され、前記送風装置は、前記本体の内側中央に配置される遠心型ターボファンを含み、前記熱交換器は、前記ターボファンから前記吐出口側に送り出される空気が通過するように前記ターボファンの周りに配置されることを特徴とする。
【発明を実施するための最良の形態】
【００１４】
以下、本発明に従う好ましい実施形態について、添付図面を参照しつつ詳細に説明する。
【００１５】
本発明に従う天井型空気調和機は、図１及び図２に示すように、天井１の開口部２から天井１の内部に埋め立てられ、その下面が開放された箱型の本体１０と、本体１０の下面開放部１１及び天井１の開口部２を覆うように本体１０の下端に装着される天井パネル２０とを備える。
【００１６】
本体１０の内部中央には、室内空気の送風のための送風装置１２が設置され、送風装置１２の周りには空気を冷却したり加熱したりする熱交換器１３が設置される。そして、天井パネル２０には、中央に吸入口２１が形成され、吸入口２１の周りの四方に吐出口２２が形成される。また、吸入口２１側には多数の通穴２３ａが開いた吸入グリル２３が設置される。
【００１７】
送風装置１２は、下部の吸入口２１側から空気を吸い込んで半径方向に吐出させる遠心型ターボファン１２ａと、このターボファン１２ａを駆動するように本体１０の奥側上面に固定される駆動モーター１２ｂとを含む。熱交換器１３は、ターボファン１２ａの動作により送り出される空気が通過しつつ熱交換されるように、ターボファン１２ａの周りの四方に設置される。また、熱交換器１３は、熱交換器１３から流れる凝縮水を集めて排出するように、本体１０の内側下部に設置される支持部材１４により支持される。また、支持部材１４には、ターボファン１２ａの入口側とターボファン１２ａの出口側の空間とを区画して空気流れを円滑にする空気案内板１５が設置される。これによれば、本体１０内部の送風装置１２が動作するときに、吸入口２１から本体１０の内部に吸入された空気が、熱交換器１３を通過しながら熱交換された後に吐出口２２を通して再び室内空間に供給され、室内空間の冷房または暖房がなされることができる。
【００１８】
また、本発明に従う天井型空気調和機は、冬期暖房運転を遂行するに際して熱交換器１３による暖房が充分でない場合に、吐出口２２を通して室内に供給される空気をさらに加熱するために四方の各吐出口２２に設置される補助ヒーター３１，３２と、この補助ヒーター３１，３２を支持するために各吐出口２２の内側に設置されるヒーター支持部材３３，３４，３５とを含む。
【００１９】
補助ヒーターは、図２ないし図４に示すように、吐出口２２を通過する空気と熱交換を通じて吐出空気を加熱するように、四方の各吐出口２２内に設置される。また、この補助ヒーターは、各吐出口２２内において各吐出口２２の長手方向に連続して配置される所定長さの第１のヒーター３１と第２のヒーター３２とからなる。ここで、各補助ヒーター３１，３２は、電源の印加によって発熱する棒形状の発熱部と、この発熱部に結合される多数の熱交換フィンとを含む。
【００２０】
ヒーター支持部材３３，３４，３５は、吐出口２２の一側に設置されて第１のヒーター３１の一端を支持する第１のヒーター支持部材３３と、吐出口２２の他側に設置されて第２のヒーター３２の一端を支持する第２のヒーター支持部材３４と、吐出口２２の中央部に設置されて第１及び第２のヒーター３１，３２を同時に支持する第３のヒーター支持部材３５とを含む。このように、短い長さをもつ第１及び第２のヒーターを備え、該二つのヒーター３１，３２を各吐出口ごとに連続して設置し、かつ、第１及び第２のヒーター３１，３２が、第１及び第２のヒーター支持部材３３，３４のみならず、吐出口２２の中央に設けられた第３のヒーター支持部材３５に支持されるようにすれば、ヒーターの長さを長くする場合に熱変形により生じるヒーターの垂れを防ぐことが可能になる。このとき、ヒーター支持部材３３，３４，３５は、電気絶縁性と耐熱性に優れたセラミックのような材質からなる。
【００２１】
また、本発明は、熱交換器１３を通過した後に各吐出口２２側に流れる空気の流動抵抗を減らすために、各吐出口２２の第３のヒーター支持部材３５と一体に設けられる空気案内部４０を含む。この空気案内部４０は、図３及び図４に示すように、第３のヒーター支持部材３５の上部から空気の流動方向と対向する方向に突設される。すなわち、空気案内部４０は、その頂点４１が空気の流動方向と対向するように第３のヒーター支持部材３５の垂直二等分線(Ａ)から空気の流動方向と対向する方向に所定角度(θ)だけ傾斜した方向に突出される。また、空気案内部４０は、空気の流動抵抗を最小化するためにその先端部と外面が流線型の曲面をなす。
【００２２】
このような空気案内部４０は、ターボファン１２ａの動作によりターボファン１２ａの回転方向に旋回しつつ送り出される空気の流動特性に鑑みてなされたものであり、吐出口２２側に送風される空気が、吐出口２２内に円滑に案内されるようにすることによって、空気の流動抵抗を減らすためのものである。
【００２３】
すなわち、本発明に従う天井型空気調和機は、ターボファン１２ａの動作により送り出される空気が、図２及び図３に示すように、ターボファン１２ａの回転方向に向かう円周方向成分(ｕ)と半径方向成分(ｗ)の影響からターボファン１２ａの半径方向に送風されると同時に、ターボファンの回転方向に旋回しつつ流動する。また、この空気は、熱交換器１３を通過した後にも旋回し続きながら吐出口２２側に流動する。したがって、熱交換器１３を経て四方の各吐出口２２に流れる空気は、旋回しつつある状態であり、なおかつ送風方向が吐出口２２の方向と一致しないため、吐出口２２に至っては流動抵抗が大きくなるが、本発明では、このような空気が、空気案内部４０の案内により吐出口２２側に円滑に流入するので、流動抵抗が低減するようになる。
【００２４】
また、この空気案内部４０は、吐出口２２を通過する空気の流動抵抗を減らして第３のヒーター支持部材３５と吐出空気との干渉を抑えるので、夏期冷房運転のときに第３のヒーター支持部材３５での結露現象を防ぐことができる。
【００２５】
本発明に従う天井型空気調和機によれば、第の３ヒーター支持部材から突出する空気案内部により、吐出口側に送り出される空気が吐出口の内部に円滑に案内されるので、吐出口を通過する空気の流動抵抗を低減することができるという効果が得られる。
【００２６】
また、本発明によれば、空気案内部の送風案内により吐出空気とヒーター支持部材間の干渉が低減するので、夏期冷房運転のときにヒーター支持部材で発生する結露現象を防ぐことが可能になる。
【図面の簡単な説明】
【００２７】
【図１】本発明による天井型空気調和機の構成を示す断面図である。
【図２】図１のII−II’線による断面図である。
【図３】図１に示した天井型空気調和機における吐出口の空気案内部の構成を示す斜視図である。
【図４】図３のIV-IV’線による断面図である。
【符号の説明】
【００２８】
１      天井
２      開口部
１０    本体
１１    下面開放部
１２    送風装置
１２ａ  ターボファン
１３    熱交換器
１４    支持部材
１５    空気案内板
２０    天井パネル
２１    吸入口
２２    吐出口
２３    吸入グリル
２３ａ  通穴
３１、３２  補助ヒーター
３３    第１のヒーター支持部材
３４    第２のヒーター支持部材
３５    第３のヒーター支持部材
４０    空気案内部
４１    頂点
【図１】
2006029762.tif 000003
【図２】
2006029762.tif 000004
【図３】
2006029762.tif 000005
【図４】
2006029762.tif 000006